【事件の表示】
　特願２００３−５７９４４６「通信装置」拒絶査定不服審判事件〔平成１５年１０月　２日国際公開、ＷＯ０３／８１８７８〕について、次のとおり審決する。
【結　論】
　本件審判の請求は、成り立たない。
【理　由】
１　手続の経緯・本願発明
　本願は、２００２年３月２７日を国際出願日とする出願であって、平成１９年１月１７日付けで拒絶査定がなされ、これに対し、同年２月２２日に審判請求がなされたものであり、その請求項１に係る発明は、平成１８年１０月２５日付けの手続補正により補正された特許請求の範囲の請求項１に記載された事項により特定される次のとおりのものである。（以下、「本願発明」という。）
　
　「少なくとも音声データ及び文字データが含まれた多重データを受信する多重データ受信部と、
　前記多重データから前記音声データ及び前記文字データを抽出する抽出部と、
　電話音声データの送受信を行う電話部と、
　前記抽出部により抽出された抽出音声データ又は前記電話部により受信された前記電話音声データのいずれかを出力する音声出力部と、
　表示出力部とを有し、
　前記多重データ受信部による前記多重データの受信中に着信イベントの発生又は発信イベントの発生のいずれか一方を検知した場合に、
　前記多重データ受信部による前記多重データの受信を継続するとともに前記電話部に前記電話音声データの送受信を開始させ、前記音声出力部に前記電話音声データを出力させるとともに前記表示出力部に前記抽出文字データを出力させる
ことを特徴とする通信装置。」
　
　
２　引用例発明及び周知技術
Ａ．原審における拒絶の理由に引用した、特開平７−３０８７２号公報（以下、「引用例」という。）には、「テレビ放送受信機付テレビ電話装置」として図面とともに以下の（イ）、（ロ）の記載がある。
　
　（イ）「【００１５】
【実施例】以下、図面を参照してこの発明の実施例を説明する。　図１に本実施例によるテレビ放送受信機付テレビ電話装置の外観を示し、図２は全体構成のブロック図を示す。図示のように、システムバス１０にＣＰＵ１２、プログラムＲＯＭ１４、インターフェース部１６、ＲＡＭ１８、ディスクコントローラ２０、テレビ受信回路２４、画像処理部３０、音声処理部３６、キーボード４２が接続される。インターフェース部１６は本装置と電話回線４８（例えばＩＳＤＮ回線）とのインターフェースをつかさどり、回線接続中、このインターフェース部１６を介して画像と音声の情報が送受される。代表的にはカメラ部３２に取り込まれた自画像は画像処理部３０を経て多重部４４で多重化され、インターフェース部１６から送信画像信号として電話回線４８に出力される。またハンドセット３８から入力された音声は音声処理部３６を通った後、多重部４４で画像と多重化され、インターフェース部１６から送信音声信号として回線４８に出力される。一方、回線４８から受信した画像信号は多重部４６を通って分離され、画像処理部３０に入力される。また回線４８から受信した音声信号は多重部４６を通って分離され音声処理部３６に入力される。更に着呼の際に回線４８から受信した相手の電話番号と普通の音声電話かテレビ電話かを識別するコードはＣＰＵ１２に読み取られ、ＲＡＭ１８に格納される。
【００１６】テレビ放送の受信、再生のため、本装置はアンテナ２６に接続されるテレビ受信回路２４、ＣＲＴ等で構成されるテレビ画面表示部３４及びスピーカ４０を備える。テレビ放送受信状態において、表示部３４はテレビ放送画像を画面に映し出し、スピーカ４０からはテレビ放送音声が再生される。
【００１７】ハードディスク２２、画像処理部３０及び音声処理部３６に接続されるディスクコントローラ２０はハードディスク２２へのデータのリードライトを実行する。図３に示すように、ハードディスク２２は電話帳データベース（個人データベースエリア１００とその画像情報エリア１０２）、留守番電話メッセージエリア１０４、留守番電話記録エリア１０６、ＴＶ放送録画エリア１０８を備える。電話帳データベースは電話番号によって検索可能であり、その電話番号に係る人の情報が登録されている。例えば、図４に示す個人データベースエリアの各レコードは氏名、住所、電話番号（ＴＥＬNo）、画像No、重要性（ランク）の項目を有する。留守番電話メッセージエリア１０４には留守番電話のときに相手に送信する所定の音声・画像データが記録されている。留守番電話記録エリア１０６には留守番電話のときに相手から受信した音声・画像データが記録される。ＴＶ放送録画エリア１０８にはテレビ放送の音声・画像データが記録される。
【００１８】図２に戻り、画像処理部３０は画像合成回路３０Ａを備えている。画像合成回路３０Ａはテレビ受信回路２４からの放送画像データとハードディスク２２からの静止画像データあるいは回線４８からの受信画像データとの間で画像合成を実行し、結果を表示部３４のテレビ画面に映し出す。なお、プリンタ３５は、画像処理部３０からの画像データを印刷することができる。」
（引用例、４頁６欄２０行〜５頁７欄２５行）
　（ロ）「【００２０】〈第１例〉第１の応答構成例では、テレビ放送受信中に電話がかかってきたことを表示部３４のテレビ画面に合成表示してテレビを見ている人に知らせる。その際、電話をかけてきた相手が電話帳データベースに登録されていれば、受信した相手の電話番号とデータベースに登録された相手の情報（静止画像）をテレビ画面に合成表示し、登録されていなければ、その旨と相手の電話番号とをテレビ画面に合成表示する。
【００２１】このような合成表示による電話着信の報知に対し、使用者が電話に出るためにハンドセット３８を持ち上げると、それに伴うオフフック操作を装置が検出する。そして装置は動作モードをテレビ受信状態から電話状態へと切り替えるため、スピーカ４０からのテレビ放送音声を消音するとともに、電話中のテレビ放送をハードディスク２２に録画開始する。そして、相手からの電話がテレビ電話なら、回線４８から受信した相手画像を主画面、テレビ放送画像を子画面というピクチャーインピクチャー形式でテレビ画面表示部３４に表示し、普通の音声電話なら相手情報を主画面、テレビ放送画像を子画面というピクチャーインピクチャーで表示する。更に、電話中に使用者中からキーボード４８を介して画面変更操作がされると対応する変更処理が行われる。なお、所定の呼出音の間、オフフック操作がない場合、本装置は留守番電話として対応する。
【００２２】第１例の動作フローを図５に示す。ＴＶ受信中に着呼要求があると（５−１）、受信した相手電話番号で電話帳データベースを検索する（５−２）。相手がデータベースに登録されていれば（５−３）、相手電話番号とデータベースからの相手静止画像をテレビ画面に合成表示する。表示例を図７の上部に示す。主画面２０２がＴＶ放送受信画面であり子画面２０４に電話がかかってきたこと、相手番号、及び電話帳データベースからの相手静止画像が表示される。データベースに未登録の相手の場合の合成表示（５−４）の例は図７の下部に示される。主画面２０２がＴＶ放送受信画面であり、子画面２１４に電話がかかってきたこと、相手番号、及び未登録の相手であることが表示される。
【００２３】このような合成表示による電話の着信報知に対し、使用者がハンドセット３８を持ち上げると装置はそのオフフック操作を検出し（５−６）、通信を開始し、ＴＶ放送音声を消音し、ＴＶ画像・音声のハードディスク２２への記録を開始する（５−９）。そして相手からの電話のタイプを識別し（５−１０）、テレビ電話なら、図８の上部に示すように、回線４８から受信した相手画像を主画面３０２、ＴＶ放送受信画像を子画面３０４としてテレビ画面表示部３４にピクチャーインピクチャー表示し（５−１２）、普通の音声電話なら図８の下部に示すように相手情報を主画面３１２とし、ＴＶ放送受信画像を子画面としてテレビ画面表示部３４にピクチャーインピクチャー表示する。その後、キーボード４２から画面変更操作（例えば、テレビ放送画像のみを表示部３４に表示する形式への変更）が行われると、対応する変更処理が実行される（５−１４）。通話終了によりハンドセット３８を元に戻すと装置はそのオンフック操作を検出し（５−１５）、動作を元のＴＶ放送受信状態に復帰させ、ハードディスク２２のＴＶ放送録画エリア１０８への記録を停止する。」
（引用例、５頁７欄３２行〜８欄３８行）
　
　
　上記引用例の記載及び図面ならびにこの分野における技術常識を考慮すると、
　まず、テレビ放送の信号が音声と映像のデータが多重化された「多重データ」と言えるものであることは技術常識であるが、
　上記（イ）の【００１６】には、引用例の「テレビ放送受信機付テレビ電話装置」は、
「テレビ放送の受信、再生のため、本装置はアンテナ２６に接続されるテレビ受信回路２４、ＣＲＴ等で構成されるテレビ画面表示部３４及びスピーカ４０を備える。テレビ放送受信状態において、表示部３４はテレビ放送画像を画面に映し出し、スピーカ４０からはテレビ放送音声が再生される。」とあり、
　テレビ放送画像を「表示部３４」の画面に映し出すには「テレビ放送画像データ」を当然に抽出しており、テレビ放送音声が再生されるには「テレビ放送音声データ」が当然に抽出されるから、引用例図２の「テレビ受信回路２４」は前記「多重データ」を受信するものであって、かつ「テレビ放送音声データ及びテレビ放送画像データを抽出する抽出部」を有しているといえ、また引用例図２の「スピーカ４０」は、「前記抽出部により抽出された抽出テレビ放送音声データを出力する」ものであるといえる。
　また、上記（イ）の【００１５】には、「ハンドセット３８から入力された音声は音声処理部３６を通った後、多重部４４で画像と多重化され、インターフェース部１６から送信音声信号として回線４８に出力される。・・・また回線４８から受信した音声信号は多重部４６を通って分離され音声処理部３６に入力される。」とあるので、
　「ハンドセット３８」、「音声処理部３６」から「インターフェイス部１６」に至る部分で「電話部」が構成され、その電話部は「電話音声データの送受信」を行っているといえる。
　また、上記（ロ）【００２０】〜【００２１】には、
「テレビ放送受信中に電話がかかってきたことを表示部３４のテレビ画面に合成表示してテレビを見ている人に知らせる。・・・（中略）・・・使用者が電話に出るためにハンドセット３８を持ち上げると、それに伴うオフフック操作を装置が検出する。そして装置は動作モードをテレビ受信状態から電話状態へと切り替えるため、スピーカ４０からのテレビ放送音声を消音するとともに、電話中のテレビ放送をハードディスク２２に録画開始する。そして、相手からの電話がテレビ電話なら、回線４８から受信した相手画像を主画面、テレビ放送画像を子画面というピクチャーインピクチャー形式でテレビ画面表示部３４に表示し」とあり、
　ここで「テレビ放送受信中」とは、「前記テレビ受信回路２４による前記多重データの受信中」のことであり、
「ハンドセット３８を持ち上げると、それに伴うオフフック操作を装置が検出する」のであるから、引用例の装置は「ハンドセット３８を持ち上げるオフフック操作の発生を検知」するものであり、
この場合の動作として引用例の装置は、「電話状態へと切り替える」のであるから「電話部」による「前記電話音声データの送受信を開始」するものであって、一方「テレビ放送画像を子画面」に表示し続けるのであるから「前記テレビ受信回路２４による前記多重データの受信を継続する」ものである。
　そして、上記記載箇所には、更なる動作として引用例の装置は、「スピーカ４０からのテレビ放送音声を消音するとともに、電話中のテレビ放送をハードディスク２２に録画開始する」ともあって、この場合前記のように「テレビ放送画像を（表示部３４の）子画面」に出力するものである。
　したがって、引用例には以下の発明（以下「引用例発明」という。）が開示されている。
　
（引用例発明）
　「少なくともテレビ放送音声データ及びテレビ放送画像データが含まれた多重データを受信するテレビ受信回路２４と、
　前記多重データから前記テレビ放送音声データ及び前記テレビ放送画像データを抽出する抽出部と、
　電話音声データの送受信を行う電話部と、
　前記抽出部により抽出された抽出テレビ放送音声データを出力するスピーカ４０と、
　表示部３４とを有し、
　前記テレビ受信回路２４による前記多重データの受信中にハンドセット３８を持ち上げるオフフック操作の発生を検知した場合に、
　前記テレビ受信回路２４による前記多重データの受信を継続するとともに前記電話部に前記電話音声データの送受信を開始させ、前記スピーカ４０からのテレビ放送音声を消音するとともに、テレビ放送の音声・画像データをハードディスク２２に記録開始させ、前記表示部３４にテレビ放送画像を子画面として出力させる
ことを特徴とするテレビ電話装置。」
　
　
Ｂ．例えば、原審の拒絶の理由で提示した特開平７−１２３３７６号公報（以下、「周知例１」という。）には、図面とともに下記（ハ）、（ニ）の記載があり、
　また、例えば、特開平６−１６５０７３号公報（以下、「周知例２」という。）には、図面とともに下記（ホ）、（へ）の記載がある。 
　
　（ハ）「【０００１】
【産業上の利用分野】本発明は、特に、テレビジョン受信機に内臓された文字多重放送受信装置に関する。
【０００２】
【従来の技術】テレビジョン信号（以下、ＴＶ信号という）を利用して、通常のＴＶ信号には妨害を与えることなく、文字情報を送る文字多重放送方式については、従来種々提案されている。そのうちの代表的なものとしては、米国で放送されているクロ−ズド・キャプション方式と呼ばれている文字多重放送方式があり、これは音声の内容を表わす文字をテレビジョン画面（以下、ＴＶ画面という）上に表示する放送方式がある。このクロ−ズド・キャプション方式を利用するには、ＴＶ信号に多重化されたキャプション信号を解読するための専用デコ−ダが必要になる。
【０００３】また、米国では、１９９３年７月１日以降１３型以上の全てのテレビジョン受信機（以下、ＴＶ受信機という）にクロ−ズド・キャプションデコ−ダを内臓することが義務づけられた（連邦通信委員会（ＦＣＣ）　テレビ・デコ−ダ回路法ＰＬ１０１−４３１）。かかるデコ−ダやテレビジョン受信機においては、ユ−ザがクロ−ズド・キャプションのオン・オフ操作やＴＶ画面上に字幕を表示するキャプションのチャンネルを選択することにより、所望に文字を表示させることができる。」
（周知例１、２頁１欄２２〜４６行）
　
　（ニ）「【０００４】
【発明が解決しようとする課題】ところで、ユ−ザがＴＶ画面を見ているときに、他人と会話が始まったり、電話があったりすると、ＴＶ受信機からの音声が邪魔になることがある。このようなときには、リモコンなどの操作により、この音声を消音させることができる。
【０００５】しかし、このようにＴＶ受信機の音声を消音させてしまうと、ＴＶ画面を見ながら会話や電話をする場合、画面の内容が分からなくなってしまう。
【０００６】本発明の目的は、かかる問題を解消し、音声を消音しても、画面の内容を理解できるようにした文字多重放送受信装置を提供することにある。
【０００７】
【課題を解決するための手段】
　上記目的を達成するために、本発明は、映像信号からこれに多重されている文字情報信号を抜き取る第１の手段と、該文字情報信号を解読する第２の手段と、該第２の手段の解読によって得られた文字情報を該映像信号に同期した信号として該映像信号と合成しＴＶ画面に表示させる第３の手段と、該ＴＶ信号の音声信号をオン／オフ制御し音声の消音を行なわせる第４の手段と、該第４の手段による音声の消音動作を検出する第５の手段と、該第５の手段による音声の消音動作の検出とともに該第２の手段の解読動作と該第３の手段の表示動作とを行なわせる第６の手段とを有する。
【０００８】
【作用】音声の消音が行なわれるとともに、これを上記第５の手段が検出し、上記第６の手段により、自動的に文字情報がＴＶ画面上に表示される。かかる文字情報はＴＶ画面に表示されている番組の音声と同じ内容のものとすることができ、これにより、音声が出なくとも、この番組の内容を把握することができる。」
（周知例１、２頁１欄４７行〜２欄２８行）
　
　（ホ）「【０００１】
【産業上の利用分野】本発明は、キャプションデコーダを内蔵したテレビジョン受像機に関するものである。
【０００２】
【従来の技術】従来のテレビジョン受像機に備えられている機能の一つに、消音オン・オフ機能というのがある。これは、テレビを見ているときに、使用者が一時的に音声出力レベル（いわゆる音量）を最小レベル（消音状態）にしたいときにワンタッチで消音の実行・解除を切り替えるための機能で、その実行キーはテレビジョンセット本体のキーボードやリモコン送信器のキー群に消音キーとかミュートキーなどの名称で備えられていることが多い。この機能により、使用者はワンタッチで音声出力レベルを現在のレベルと消音レベルとの間で切り替えることができる。
【０００３】一方、米国では、難聴者の人々が、健常者と同様にテレビジョン放送を理解し、楽しむことができるようにする目的で、多くの番組が、その音声情報を映像信号の２１番目の走査線に多重化して放送が行われている。この多重化された情報はクローズドキャプションデータと呼ばれ、専用のキャプションデコーダを用いることによって情報をデコードし、表示装置に表示することができる。このキャプションデコーダを内蔵したテレビジョン受像機は現在でも存在するが、特に、１９９３年７月１日以降生産及び輸入される１３インチ以上のテレビジョン受像機については、全てキャプションデコーダを内蔵するよう法制化もされている。
【０００４】このような消音オン・オフ機能およびキャプションデコーダを内蔵した従来のテレビジョン受像機は、例えば図４のように、音声出力制御部３１と、ＣＰＵ３２と、キャプションデコーダ３３と、映像信号処理部３４と、表示処理部３５と、スピーカー３６と、ＣＲＴ３７と、本体キーボード３８とを備えており、リモコン送信器３９が付属している。なお実際には他にも各種の回路などを備えているが、本発明の要旨と直接関係ないので説明を省略する。
【０００５】この従来のテレビジョン受像機において、消音オン・オフ動作では、リモコン送信器３９またはセット本体の本体キーボード３８から使用者によって入力された消音オン・オフ用のキーコードがＣＰＵ３２により受信されてデコードされる。さらにＣＰＵ３２は、現在の状態が通常音量状態すなわち消音解除状態であれば消音を実行すべく、また現在の状態が消音実行状態であれば消音を解除すべく、音声出力制御部３１を制御して音声出力レベルを調節する。これにより、消音オン中には音声出力を禁止してスピーカー３６から音が出ないように、また消音がオフすなわち解除されれば本来の音声出力レベルをスピーカー３６から出力させるように切り替えることができる。
【０００６】一方、キャプションデコーダオン・オフ動作では、リモコン送信器３９またはセット本体の本体キーボード３８から使用者によって入力されたキャプションデコーダオン・オフ用のキーコードがＣＰＵ３２により受信されてデコードされる。さらにＣＰＵ３２は、現在の状態がオン状態すなわちデコード実行状態であればキャプションデコーダ３３をオフすべく、また現在の状態がオフ状態であればキャプションデコーダ３３をオンすべく、キャプションデコーダ３３へ指示を送る。キャプションデコーダ３３は、ＣＰＵ３２からの指示に従ってデコード処理の実行・禁止を行う。キャプションデコーダオンならば入力される映像信号からクローズドキャプションデータを抜き取ってデコード処理し、Ｒ，Ｇ，Ｂ信号として表示処理部３５へ出力する。表示処理部３５は、キャプションデコーダ３３からのキャプション表示用Ｒ，Ｇ，Ｂ信号と映像信号処理部３４からのテレビジョン画面表示用の信号とを合成してＣＲＴ３７へ出力する。これによりテレビ画面上にキャプション表示が現れる。またキャプションデコーダオフ時には、キャプション表示用のＲ，Ｇ，Ｂ信号が表示処理部３５へ送られないため、テレビジョン画面のみがＣＲＴ３７上に現れる。」
（周知例２、２頁１欄２２行〜２欄４２行）
　
　（へ）「【０００７】
【発明が解決しようとする課題】しかしながら上記従来のキャプションデコーダ内蔵テレビジョン受像機では、消音オン・オフ機能とキャプションデコーダオン・オフ機能とがそれぞれ独立して機能するため、当然、操作も独立して各々行わなければならない。ところが、消音オン状態時を考えてみると、使用者がこの機能を利用するときはテレビを見たくないときではない。なぜなら、テレビを見たくないときにはテレビジョン受像機の電源自体をオフすれば済むからである。つまり、テレビは見たいが何らかの理由により音声だけを消音状態にしなければならない状態にあると考えられる。こういう状態の時にこそ、音声情報を映像情報として得られるキャプションデコード機能が有効なのであるが、従来のキャプションデコーダ内蔵テレビジョン受像機では、消音時にキャプションデコード機能を得ようとすると、消音オン操作とキャプションデコーダオン操作とを行い、また消音解除時に消音オフ操作とキャプションデコーダオフ操作とを行うという具合に、各々２つの操作が必要となり、操作が面倒であるという問題があった。
【０００８】本発明はかかる事情に鑑みて成されたものであり、消音時に自動的にキャプションデコード機能を得られるキャプションデコーダ内蔵テレビジョン受像機を提供することを目的とする。
【０００９】
【課題を解決するための手段】本発明は、映像信号の所定の走査線に多重化されているクローズドキャプションデータを抜き取ってデコードするデコード手段と、このデコード手段によりデコードされた文字情報を画面上に表示させる表示処理手段と、音声出力レベルを現在の出力レベルから最小レベルに切り替える消音手段と、使用者の操作に基づいて前記デコード手段のオン・オフを制御するデコード制御手段と、使用者の操作に基づいて前記消音手段のオン・オフを制御する消音制御手段と、を備えたキャプションデコーダ内蔵テレビジョン受像機において、前記デコード手段がオフしている場合、前記消音手段がオフからオンに切り替わったときに前記デコード手段をオンさせ、前記消音手段がオンからオフに復帰したときに前記デコード手段をオフさせる消音・デコード連動制御手段を備えたことを特徴としている。
【００１０】
【作用】デコード手段は、映像信号の所定の走査線に多重化されているクローズドキャプションデータを抜き取ってデコードする。表示処理手段は、デコード手段によりデコードされた文字情報を画面上に表示させる。消音手段は、音声出力レベルを現在の出力レベルから最小レベルに切り替える。デコード制御手段は、使用者の操作に基づいてデコード手段のオン・オフを制御する。消音制御手段は、使用者の操作に基づいて消音手段のオン・オフを制御する。消音・デコード連動制御手段は、デコード手段がオフしている場合、消音手段がオフからオンに切り替わったときにデコード手段をオンさせ、消音手段がオンからオフに復帰したときにデコード手段をオフさせる。」
（周知例２、２頁２欄４３行〜３頁３欄４６行）
　
（周知技術Ｂ１〜３）
　上記周知例１の（ハ）ないし上記周知例２の（ホ）より、従来から「テレビ放送において、テレビ信号である多重データには文字データが含まれていること」（以下「周知技術Ｂ１」という。）、及び「テレビ信号である多重データから文字データを抽出部で抽出すること」（以下「周知技術Ｂ２」という。）は周知技術である。
　また、上記周知例１の（ニ）ないし上記周知例２の（ヘ）より、「テレビ放送時に使用者の操作により、テレビ放送音声を消音して表示出力部に抽出文字データを出力させること」は周知技術である。（以下「周知技術Ｂ３」という。）
　
　
Ｃ．例えば、原審の拒絶の理由で提示した特開２０００−１９６７７６号公報（以下、「周知例３」という。）には、図面とともに下記（ト）、（チ）の記載があり、
　また、例えば特開平１０−２４３３６１号公報（以下、「周知例４」という。）には、図面とともに下記（リ）、（ヌ）の記載がある。
　
　（ト）「【００１１】
【発明の実施の形態】以下、本発明のテレビ電話機能付きディスプレイ装置、テレビ電話機能付きディスプレイ装置の制御方法及び記憶媒体の実施の形態について説明する。まず、本実施の形態のテレビ電話機能付きディスプレイ装置の全体の構成を図１を用いて説明する。図１において、テレビチューナー１０５はテレビ放送を受信するためのアンテナに接続されていて、受信したテレビ放送信号を画像信号と音声信号に分離して（本図においては、簡略化のため１本の線で示してある）それぞれを信号選択部１０４に出力する。
【００１２】また、ビデオレコーダー１０６は、記録媒体に記録されている画像信号及び音声信号を再生し、上記再生した画像信号及び音声信号を信号選択部１０４に出力する。
【００１３】信号選択部１０４は、入力されたテレビ信号またはビデオ信号の何方かを選択するもので、制御部１１２に制御されて選択動作し、テレビチューナー１０５からの出力信号、またはビデオレコーダー１０６からの出力信号の何方か一方の信号を選択して出力する。
【００１４】制御部１１２によって選択された画像信号及び音声信号が信号選択部１０４から出力され、画像信号が画像多重化部１０３に与えられ、音声信号が音声選択部１０７に出力与えられる。また、Ａ／Ｄ変換器によってデジタル信号に変換されてから制御部１１２に与えられる。
【００１５】画像多重化部１０３は、所謂スーパーインポーズ機能を有するもので、信号選択部１０４から入力される画像信号に、制御部１１２から入力される画像信号（主にテレビ電話画像）を重ね合わせて画像処理部１０２に出力する。
【００１６】画像処理部１０２は、入力された画像信号から同期信号、輝度信号及び色信号を復調して、ディスプレイ１０１の表示画面上に画像を表示するものである。ディスプレイ１０１は、本実施の形態のテレビ電話機能付きディスプレイシステムの表示部分であり、所謂モニターである。
【００１７】このモニターは、設置される場所、及び目的に応じてその種類や大きさ等が撰択されされるものであり、例えば、対角４０インチ以上の画面サイズを持ち、かつマルチウインドウを表示するのに十分な解像度を有するものが望ましい。
【００１８】音声選択部１０７は、信号選択部１０４で選択された音声信号と制御部１１２から出力された音声信号（主にテレビ電話音声）のどちらかを選択して音声処理部１０８に出力するためのものであり、制御部１１２によってその選択動作が制御される。
【００１９】音声処理部１０８は、音声選択部１０７から与えられる音声信号を増幅して、スピーカー１０９を駆動するものであり、上記スピーカー１０９のボリューム制御、トーンコントロール等を含むものである。」
（周知例３、４頁６欄４行〜５頁７欄４行）
　
　（チ）「【００２４】次に、ユーザーが映像番組を視聴している時に電話が着信された場合に、本実施の形態の装置が実際にどのようにが動作するかについて、図２のフローチャートを用いて説明する。
【００２５】装置の電源が入れられると動作を開始し、制御部１１２は、電話の着信があるかどうかを、着信が有るまでモニターする（ステップＳ１）。
【００２６】ステップＳ１のモニターの結果、着信があった時には画像表示を行っているか判別する（ステップＳ２）。ステップＳ２の判別の結果、画像表示を行っていない場合には、全画面を使って発信者の画像表示を行い、通常のテレビ電話画面になる（ステップＳ３）。
【００２７】この時、制御部１１２はテレビ電話画像を画像多重化部１０３に送る。また、ディスプレイ１０１の全面にテレビ電話画像が表示されるように制御する。また、音声選択部１０７にはテレビ電話音声信号が入力され、その音声がスピーカー１０９で再生されるように選択される。
【００２８】また、カメラ１１３からの画像及びマイクロフォン１１４からの音声を回線接続部１１５に出力して電話回線を通じて発信者に送出するように制御する。このようにして、通常テレビ電話動作が行われる。」
（周知例３、５頁７欄３５行〜８欄６行）
　
　
　（リ）「【００２０】図２は、上記のシステムをさらに具体的に示している。すなわち、放送波により送信されてくるテレビジョン信号は、受信アンテナ１１より入力される。入力された信号は、チューナ２１によりチャンネル選択が行なわれ、選択されたチャンネルの信号が復調される。復調により得られたベースバンド信号は、例えば日本においては、ＮＴＳＣ（National Television System Committee）方式に準拠している。ベースバンド信号は、ＮＴＳＣデコーダ２２に入力されてデコードされ、輝度信号と色信号とに変換される。
【００２１】ＮＴＳＣデコーダ２２の出力は、圧縮伸張処理部２３に入力される。圧縮伸張処理部２３は、メモリ２４を利用して画像を水平及び／あるいは垂直方向へ圧縮伸張して、所望の表示位置へ表示を行なえるように処理する。この画像圧縮及び伸張のための制御信号は、後述するグラフィックコントローラ３２から与えられている。
【００２２】圧縮伸張処理部２３より出力された画像信号は、合成処理部２５に入力され、後述するビデオメモリ３３からの画像信号と合成されて出力される。この出力画像信号は、ＣＲＴ（Cathode Ray Tube）あるいは液晶等を用いたディスプレイ１３に表示される。
【００２３】さらに、上記チューナ２１の出力信号は、ＶＢＩ（Vertical Blanking Interval）データデコーダ２６に入力される。このＶＢＩデータデコーダ２６は、垂直ブランキング期間に多重されているデータ放送信号をデコードするものである。データ放送信号の中には、文字多重信号、現在の放送番組を補間するために送られてくる補間データ等がある。
【００２４】この補間データとしては、プロバイダーの希望により種々のデータがある。例えば、ドラマの登場人物や映出された風景の補足説明文、補足音声、商品説明、注文先、注文先の電話番号データ、さらに送られたきたデータをインタラクティブ（双方向）に処理するためのスクリプトも含まれる。以下、これらのデータのうち、後述するインターネットのデータと連動するものを第１のオブジェクトデータと称することにする。
【００２５】この第１のオブジェクトデータの中でも、特にインターネット連動に関連するデータは、これから説明する連動手段を構成するデータ処理部のシステムバスに供給され、ＲＡＭに格納される。そして、このデータは、リモートコントロール操作に応答して電話回線接続、パケットデータ作成、転送などのデータ処理を行なうために寄与することができる。
【００２６】以上は、テレビジョン受信機を中心とした構成である。このインターネットテレビの場合は、通常のテレビジョン番組の視聴と、インターネットからの情報を関連付けることができる。すなわち、ＶＢＩを利用して伝送されてきた第１のオブジェクトに、インターネットのサーバを自動的にアクセスさせる自動アクセスコマンドを含めて送ることができる。すると、連動手段は、電話回線を介してインターネットをアクセスして情報を取り込むことができる。
【００２７】このインターネットの情報は、電話回線を介して入力される。入力端子２７より入力されたインターネット情報は、モデム２８に入力される。モデム２８は、電話回線を通じてデータの受信あるいはデータの送信を行なうことができる。モデム２８は，システムバス２９に接続されており、ＣＰＵ３０の制御の基でデータの取り込みや送信を行なっている。
【００２８】ＣＰＵ３０は、メモリ（ＲＯＭ、ＲＡＭを含む）３１に格納されているプログラム（ソフトウェア）に基づいてデータ処理を行なっている。デコードされたデータが表示制御用であれば、このデータは、上記グラフィックコントローラ３２に入力される。グラフィックコントローラ３２は、上記ビデオメモリ３３を通じて画像としての映像信号を出力し、合成処理部２５に供給している。
【００２９】上記システムバス２９には、入力出力インターフェース（Ｉ／Ｏ部）３４が接続されている。Ｉ／Ｏ部３４を介して、チャンネル選択や画質調整等を行なうことができる。」
（周知例４、４頁５欄６行〜６欄２７行）
　
　（ヌ）「【００４０】また、上記のシステムは、電話回線に接続され、自動的なダイヤリングも可能である。そこで、リモートコントローラ３６自体が携帯電話機として設定されている。リモートコントローラ３６のキー操作を行なうことにより、電話モードに切り替えて、リモートコントローラ３６で相手の電話番号を入力し、電話をかけることができる。電話回線がつながると、モデム２８と音声処理部４０とが接続され、さらに、この音声処理部４０とリモートコントローラ３６側の音声処理部４１との回線が接続されることになる。
【００４１】リモートコントローラ３６自体は、その操作キーが電話番号入力キーであるとともに、テレビジョン受信機のチャンネル選択等の操作キーとして兼用されている。キー数を増設する必要はない。
【００４２】一方、テレビジョン受信機側では、電話がかかってきたかどうかを判定する機能をＣＰＵ３０が有する。そして、電話がかかってきたときは、自動的にモデム２８を音声処理部４０側に接続する。さらに、このときテレビジョン受信機が使用されている場合、自動的にテレビジョン受信機の音声出力を制御して音量を絞り、テレビジョン音声の出力を小さくあるいは零にする。そして、電話のベル音（着信音）を聞き取り易くするようになっている。これにより、電話がかかってきたことを確実に把握できることになる。
【００４３】上記の例は、テレビジョン受信機側とリモートコントローラ３６側とで音声処理部４０，４１を有して、有線または無線により音声の受信、送信を行なうようになっているが、相手からの音声出力は、テレビジョン受信機のスピーカを利用するようにしてもよい。このようにすれば、リモートコントローラ３６側の音声処理部４１としては、マイクロホンと音声送信手段とを設けるのみでよい。
【００４４】また、モデム２８に接続される音声処理部４０としても音声受信手段でよい。このような場合は、着信があったときに、テレビジョン受信機の音声出力の音量は、所定レベルに自動設定できるようにすればよい。これにより、電話の音声は常に一定レベルで出力されることになる。さらに調整したい場合には、リモートコントローラ３６を通じてテレビジョン受信機の音量調整を行なえばよい。」
（周知例４，５頁８欄２〜４１行）
　
（周知技術Ｃ）
　上記周知例３ないし上記周知例４より、「電話機能付きテレビ放送受信機において、テレビ放送受信機の音声出力部に、テレビ放送音声を消音して電話音声データを出力させること」は周知である。（以下「周知技術Ｃ」という。）
　
　
３　対比
　本願発明と引用例発明とを対比する。
　引用例発明の「テレビ放送音声データ」「テレビ受信回路２４」「抽出テレビ放送音声データ」「スピーカ４０」「表示部３４」「テレビ電話装置」は、本願発明の「音声データ」「多重データ受信部」「抽出音声データ」「音声出力部」「表示出力部」「通信装置」にそれぞれ相当する。
　また、引用例発明の「ハンドセット３８を持ち上げるオフフック操作の発生」は、着信呼に対する着信動作を行うという事象（イベント）の発生であるから、本願発明の「着信イベントの発生」と一致する。
　また、本願発明の択一的構成要件である「前記抽出部により抽出された抽出音声データ又は前記電話部により受信された前記電話音声データのいずれか」、「着信イベントの発生又は発信イベントの発生のいずれか一方」は、いずれも前者の「前記抽出部により抽出された抽出音声データ」（前記抽出部により抽出された抽出テレビ放送音声データ）、「着信イベントの発生」（ハンドセット３８を持ち上げるオフフック操作の発生）の点で引用発明と一致する。
　
　したがって、両者は以下の点で一致し、相違する。
　
　［一致点］
「少なくとも音声データが含まれた多重データを受信する多重データ受信部と、
　前記多重データから前記音声データを抽出する抽出部と、
　電話音声データの送受信を行う電話部と、
　前記抽出部により抽出された抽出音声データを出力する音声出力部と、
　表示出力部とを有し、
　前記多重データ受信部による前記多重データの受信中に着信イベントの発生を検知した場合に、
　前記多重データ受信部による前記多重データの受信を継続するとともに前記電話部に前記電話音声データの送受信を開始させる
ことを特徴とする通信装置。」
　
　［相違点１］
　多重データが、音声データの他に、本願発明は「文字データ」を含むものであるのに対し、引用例発明はそのように構成されていない点。
　［相違点２］
　抽出部が、音声データの他に、本願発明は「文字データ」を抽出するのに対し、引用例発明はそのように構成されていない点。
　［相違点３］
　着信イベントの発生を検知した場合に、本願発明は「音声出力部に電話音声データを出力させる」のに対し、引用例発明は「スピーカ４０からのテレビ放送音声を消音する」点。
　［相違点４］
　着信イベントの発生を検知した場合に、本願発明は「表示出力部に抽出文字データを出力させる」のに対し、引用例発明は「テレビ放送の音声・画像データをハードディスク２２に記録開始させ、表示部３４にテレビ放送画像を子画面として出力させる」点。
　
　
４　当審の判断
　［相違点１］［相違点２］について検討する。
　「テレビ放送において、テレビ信号である多重データには文字データが含まれていること」（周知技術Ｂ１）、及び「テレビ信号である多重データから文字データを抽出部で抽出すること」（周知技術Ｂ２）は、前記周知例１や周知例２に示されている如く周知技術であり、その周知技術を引用例発明に適用することに何ら阻害要因はないから、引用例発明においても、多重データが、音声データの他に「文字データ」を含むものとすること、及び抽出部が、音声データの他に「文字データ」を抽出する程度のことは、当業者が容易に想到し得ることである。
　よって、相違点１、相違点２に係る構成を採用することには、格別の困難性がない。
　
　［相違点４］について検討する。
　相違点１、相違点２で検討したように、引用例発明において、多重データが、音声データの他に「文字データ」を含むものとすること、及び抽出部が、音声データの他に「文字データ」を抽出する程度のことは、当業者が容易に想到し得ることである。そして、この場合には、引用例発明において、テレビ信号である多重データに音声データの他に文字データが含まれていることになる。
　一方、「テレビ放送時に使用者の操作により、テレビ放送音声を消音して表示出力部に抽出文字データを出力させること」（周知技術Ｂ３）は、周知例１や周知例２に示されている如く周知技術であるところ、その周知技術を引用例発明に適用することにもまた何ら阻害要因はないから、引用例発明において、「ハンドセット３８を持ち上げるオフフック操作の発生」（着信イベントの発生）を検知した場合に、引用例発明の「テレビ放送の音声・画像データをハードディスク２２に記録開始させ、表示部３４にテレビ放送画像を子画面として出力させる」ことに代えて、本願発明の「表示出力部に抽出文字データを出力させる」ことは、当業者が容易に想到し得ることである。
　よって、相違点４に係る構成を採用することには、格別の困難性がない。
　
　［相違点３］について検討する。
　「電話機能付きテレビ放送受信機において、テレビ放送受信機の音声出力部に、テレビ放送音声を消音して電話音声データを出力させること」（周知技術Ｃ）は、周知例３や周知例４に示されている如く周知技術であり、その周知技術を引用例発明に適用することにも何ら阻害要因はないから、引用例発明において、「ハンドセット３８を持ち上げるオフフック操作の発生」（着信イベントの発生）を検知した場合に、「音声出力部に電話音声データを出力させる」ことは、当業者が容易に想到し得ることである。
　よって、相違点３に係る構成を採用することには、格別の困難性がない。
　
　そして、本願発明の作用効果も、上記引用例発明及び周知技術から当業者が予測できる範囲のものである。
　
　
５　むすび
　したがって、本願発明は、引用例発明及び周知技術に基づいて、当業者が容易に発明をすることができたものであるので、特許法第２９条第２項の規定により特許を受けることができない。
　よって、結論のとおり審決する。